(57)【特許請求の範囲】
【請求項１】
隣接する建物間に位置する目地を横断して両建物を結ぶ通路の、その側部の目地位置に配設されるものであって、
前記目地を介して一対の支持杆を立設し、該両支持杆に前記目地を横断する複数の伸縮杆を上下方向に所定間隔で横架するとともに、各伸縮杆の端部は、前記両支持杆に対して連結手段を介して少なくとも水平方向に回動可能に連結されてなり、
さらに前記連結手段を、外周面に伸縮杆の端部が固定され、前記支持杆に外嵌して水平方向に回動可能とした単一もしくは上下方向に分割された複数の回動管によって構成したものであることを特徴とする目地用遮断柵。
【請求項２】
前記連結手段を、前記両支持杆の対向する外周面に上下方向に所定間隔で複数対配設された上下で一対の軸受片と、伸縮杆の端部が固定され、前記各一対の軸受片に上下両端が回動可能に枢結された支軸とにより構成したことを特徴とする請求項１に記載した目地用遮断柵。
【請求項３】
前記連結手段を、前記両支持杆に外嵌して水平方向に回動可能とした単一もしくは上下方向に分割された複数の回動管と、該回動管の外周面に上下方向に所定間隔で複数対配設された左右で一対の軸受片と、伸縮杆の端部が固定され、前記各一対の軸受片に左右両端が回動可能に枢結された支軸とにより構成したことを特徴とする請求項１に記載した目地用遮断柵。
【請求項４】
先端側が対向状に延出され、その先端部分を摺動可能に重ね合わせることにより、伸縮可能に設けられた左右のカバーを、前記両支持杆及び各伸縮杆に追従回動可能に被覆したことを特徴とする請求項１に記載した目地用遮断柵。
【発明の詳細な説明】
【０００１】
【発明の属する技術分野】
本発明は、隣接する建物間に位置する目地を横断して両建物を結ぶ通路の、その側部の目地位置に配設される目地用遮断柵に関する。
【０００２】
【従来の技術】
近年、地震による被害を最小限に留めるために、緩衝機能を備えた免震装置によって下部を支持した建物が一部で建設されている。
【０００３】
【発明が解決しようとする課題】
かかる免震構造の建物にあって、隣接する建物間に位置する目地を横断して両建物を結ぶ渡り廊下等の通路の、前記目地部分に目地カバー装置を配設する場合、その床面には公知の床用目地カバー装置を適用することができるが、通路の側部の間隙部に適用し得る目地カバー装置は少なく、特に該間隙部の遮断に使用し得る遮断柵は全くないのが実状である。
【０００４】
本発明は、かかる従来の問題点を解消し得る目地用遮断柵の提供を目的とするものである。
【０００５】
【課題を解決するための手段】
本発明は、隣接する建物間に位置する目地を横断して両建物を結ぶ通路の、その側部の目地位置に配設されるものであって、前記目地を介して一対の支持杆を立設し、該両支持杆に前記目地を横断する複数の伸縮杆を上下方向に所定間隔で横架するとともに、各伸縮杆の端部は、前記両支持杆に対して連結手段を介して少なくとも水平方向に回動可能に連結されていることを特徴とする目地用遮断柵である。
【０００６】
かかる構成にあって、本発明は、前記連結手段を、外周面に伸縮杆の端部が固定され、前記支持杆に外嵌して水平方向に回動可能とした単一もしくは上下方向に分割された複数の回動管によって構成したり、あるいは、前記両支持杆の対向する外周面に上下方向に所定間隔で複数対配設された上下で一対の軸受片と、伸縮杆の端部が固定され、前記各一対の軸受片に上下両端が回動可能に枢結された支軸とにより構成している。
【０００７】
かかる構成にあって、地震時に、隣接する建物が離近方向（目地に直交する方向）に相対変位すると、伸縮杆が伸縮してその相対変位に追従する。また、隣接する建物が前後方向（目地に沿う方向）に相対変位すると、伸縮杆が伸縮するとともに、該伸縮杆の端部が支持杆に対して水平方向に回動してその相対変位に追従する。これにより、隣接する建物が離近方向及び前後方向に相対変位しても、支持杆間に横架された複数の伸縮杆によって、通路側部の間隙部を支障なく遮断することができる。
【０００８】
また、前記構成にあって、連結手段を、両支持杆に外嵌して水平方向に回動可能とした単一もしくは上下方向に分割された複数の回動管と、該回動管の外周面に上下方向に所定間隔で複数対配設された左右で一対の軸受片と、伸縮杆の端部が固定され、前記各一対の軸受片に左右両端が回動可能に枢結された支軸とにより構成することもできる。この構成にあっては、各伸縮杆の端部が水平方向及び上下方向に回動可能となり、隣接する建物の離近方向，前後方向及び上下方向の相対変位に伸縮杆を追従させることができる。
【０００９】
さらに、前記構成にあって、先端側が対向状に延出され、その先端部分を摺動可能に重ね合わせることにより、伸縮可能に設けられた左右のカバーを、前記両支持杆及び各伸縮杆に追従回動可能に被覆するようにしてもよい。この構成にあっては、遮断柵の追従機能を損なうことなく、通路側部の間隙部を遮蔽することができるとともに、遮断柵が覆い隠されることにより、その美観を向上させることができる。
【００１０】
【発明の実施の形態】
本発明の第１の実施例を、図１〜図５について説明する。
【００１１】
図面において、１は本発明に係る目地用遮断柵を示し、該目地用遮断柵１は隣接する建物間に位置する目地を横断して両建物を結ぶ通路の、その側部の目地位置に配設されている。ここで、図示省略されているが、隣接する建物は、その一方あるいは両方とも、緩衝機能を備えた免震装置によって下部が支持されており、免震構造となっている。そして、図１に示すように、一方の建物ｘから支持受縁２が水平状に突成されており、該支持受縁２上に、他方の建物（図示省略）から差し渡された渡り廊下ｙの先端部が支持部材３を介して支持されている。該支持部材３は、その上面にベアリングボール等からなる滑性面を備え、その下部が支持受縁２に固定されており、該支持部材３上に前記渡り廊下ｙの先端部を乗載することにより、該渡り廊下ｙを水平方向に相対的に揺動可能としている。また、該渡り廊下ｙの先端部と、建物ｘと間には目地ｓとしての所定幅の間隙が設けられている。
【００１２】
建物ｘには、図２に示すように、渡り廊下ｙに連続する廊下４が形成されており、この廊下４と渡り廊下ｙとによって、隣接する建物間に位置する目地ｓを横断して両建物を結ぶ通路５が構成されている。そして、この通路５の床面６には、目地ｓに位置して、少なくとも左右及び前後方向の相対変位に追従し得る公知構造の床用目地カバー装置７が配設されており、該床用目地カバー装置７によって床面６の目地ｓが遮蔽されている。
【００１３】
前記通路５の側部には、その長手方向に沿って側壁８，８が立設され、該側壁８，８の、前記目地ｓに対応する位置に間隙部９，９が形成されており、該間隙部９，９に、本発明に係る目地用遮断柵１，１が夫々配設されている。
【００１４】
この目地用遮断柵１は、目地ｓを介して立設された一対の支持杆１０，１０と、該両支持杆１０，１０に、上下方向に所定間隔で横架された複数の伸縮杆１１とからなり、各伸縮杆１１の端部は、前記両支持杆１０，１０に対して連結手段を介して少なくとも水平方向に回動可能に連結されている。
【００１５】
各支持杆１０は、アンカー１２が側方突成された円柱状の基部１３ａと、その上部に段部１３ｂを介して若干小径に形成された円柱状の回動支持部１３ｃとを備えてなり、基部１３ａを通路５の床に埋設して立設されている。また、回動支持部１３ｃには、伸縮杆１１の数に応じて上下方向に分割された円筒状の複数の回動管１４が水平方向に回動可能に外嵌されている。ここで、最上部に位置する回動管１４の上端に円形キャップ１８を被着して、その上端開口部を遮蔽するようにしてもよい。
【００１６】
一方、前記各伸縮杆１１は、両側端部に配置された円筒状の基管１５ａ，１５ａと、該基管１５ａ，１５ａの対向する先端部から該基管１５ａ，１５ａ内に端部が夫々進退可能に嵌挿されて両基管１５ａ，１５ａを繋ぐ連繋杆１５ｂとからなり、該連繋杆１５ｂの端部を基管１５ａ，１５ａ内で相対的に進退させることによって、その全体長を伸縮し得るようになっている。また、図３に示すように、基管１５ａ，１５ａ内に嵌挿された連繋杆１５ｂの両側端には円形の鍔縁１６，１６が夫々固着されており、伸縮杆１１の伸長時に、該鍔縁１６，１６を基管１５ａ，１５ａの先端部に形成された抜け止め縁１７，１７に当接させて、その抜け止めを行うようにしている。
【００１７】
前記各伸縮杆１１は、その基管１５ａ，１５ａの基部側の端部が、前記各支持杆１０の回動支持部１３ｃに外嵌された複数の回動管１４の外周面に溶接等を介して夫々固定されている。そして、この伸縮杆１１の端部を固定した回動管１４によって、各伸縮杆１１の端部を支持杆１０に対して水平方向に回動可能に連結する連結手段が構成されている。尚、回動管１４は上記のように複数に分割することなく、図５に示すように、単一の円筒管によって構成することも可能である。
【００１８】
かかる構成からなる目地用遮断柵１にあって、地震時に、隣接する建物が離近方向（目地に直交する方向）に相対変位すると、両支持杆１０，１０間に横架された各伸縮杆１１がその変位量に応じて伸縮して、前記離近方向の相対変位に追従する。また、隣接する建物が前後方向（目地に沿う方向）に相対変位すると、各伸縮杆１１が伸縮するとともに、回動管１４の回動作用を介して各伸縮杆１１の端部が支持杆１０，１０に対して水平方向に回動して、その相対変位に追従する。これにより、目地用遮断柵１は、隣接する建物の離近方向及び前後方向の各相対変位に無理なく追従し、支持杆１０，１０間に横架された複数の伸縮杆１１によって、通路５の側部の間隙部９を支障なく遮断することができる。
【００１９】
図６は第２の実施例を示し、この実施例は、上記第１実施例における連結手段の構成を変更したものである。目地ｓを介して立設される一対の支持杆１０，１０は、図面に示すように、夫々アンカー１２が側方突成された基部１３ａからその上端まで同一径の円柱状に形成されており、両支持杆１０，１０の対向する外周面に上下で一対の軸受片１９，１９が上下方向に所定間隔で複数対配設されている。各一対の軸受片１９，１９には、支軸２０の上下両端が回動可能に枢結されており、該支軸２０から側方に延成された取付け軸２１に、伸縮杆１１を構成する基管１５ａの基部側の端部が溶接，螺子止め等の固定手段を介して固定されている。
【００２０】
そして、隣接する建物の前後方向の相対変位時に、支軸２０の回動作用を介して、各伸縮杆１１の端部が支持杆１０，１０に対して水平方向に回動し得るようになっている。これにより、各伸縮杆１１の端部を支持杆１０に対して水平方向に回動可能に連結する連結手段が構成されている。尚、支軸２０から側方に延成された取付け軸２１は必ずしも必要ではなく、基管１５ａの端部を直接支軸２０に固定することも可能である。
【００２１】
かかる構成からなる連結手段を備えた目地用遮断柵１にあっても、前記第１実施例のものと同様に、隣接する建物の離近方向及び前後方向の各相対変位に追従することができる。
【００２２】
図７，図８は第３の実施例を示し、この実施例は、上記第１実施例における連結手段の構成を変更し、伸縮杆１１の端部を支持杆１０，１０に対して水平方向及び上下方向に回動し得るようにしたものである。目地ｓを介して立設される一対の支持杆１０，１０は、図面に示すように、アンカー１２が側方突成された円柱状の基部１３ａと、その上部に段部１３ｂを介して若干小径に形成された円柱状の回動支持部１３ｃとを備えてなり、該回動支持部１３ｃには、伸縮杆１１の数に応じて上下方向に分割された円筒状の複数の回動管１４が水平方向に回動可能に外嵌される。ここで、最上部に位置する回動管１４の上端に円形キャップ１８を被着して、その上端開口部を遮蔽するようにしてもよい。
【００２３】
また、各回動管１４の外周面には、左右で一対の軸受片１９’，１９’が夫々配設されている。この各一対の軸受片１９’，１９’には、支軸２０の左右両端が回動可能に枢結されており、該支軸２０から側方に延成された取付け軸２１に、伸縮杆１１を構成する基管１５ａの基部側の端部が溶接，螺子止め等の固定手段を介して固定されている。
【００２４】
そして、隣接する建物の前後方向の相対変位時に、回動管１４の回動作用を介して、各伸縮杆１１の端部が支持杆１０，１０に対して水平方向に回動するとともに、隣接する建物の上下方向の相対変位時に、支軸２０の上下方向の回動作用を介して、各伸縮杆１１の端部が支持杆１０，１０に対して上下方向に回動し得るようになっている。これにより、各伸縮杆１１の端部を支持杆１０に対して水平方向及び上下方向に回動可能に連結する連結手段が構成されている。尚、この実施例にあっても、支軸２０から側方に延成された取付け軸２１は必ずしも必要ではなく、基管１５ａの端部を直接支軸２０に固定するようにしてもよい。また、回動管１４は上記のように複数に分割することなく、単一の円筒管（図５参照）によって構成することも可能である。
【００２５】
かかる構成からなる連結手段を備えた目地用遮断柵１にあっては、前記第１，第２実施例のものと同様に、隣接する建物の離近方向及び前後方向の各相対変位に追従することができるとともに、隣接する建物の上下方向の相対変位にも追従し得るものとなる。
【００２６】
図９，図１０は第４の実施例を示し、この実施例は、上記第１実施例の目地用遮断柵１をカバー体２２によって被覆したものである。該カバー体２２は、目地用遮断柵１の、少なくともその前後及び上面を覆い得る横断面略コ字形の左右のカバー２３，２３からなる。このカバー２３，２３は、先端側が対向状に延出され、その先端部分を摺動可能に重ね合わることにより、伸縮可能に設けられている。また、両カバー２３，２３の基部側は、図１０に示すように、支持杆１０，１０に外嵌された回動管１４，１４と、各伸縮杆１１の基管１５ａ，１５ａとに複数の連結杆２４，２４を介して夫々支持されており、各伸縮杆１１の水平方向の回動に対して、追従回動し得るようになっている。
【００２７】
かかる構成にあって、地震時に、隣接する建物が離近方向（目地に直交する方向）に相対変位し、両支持杆１０，１０間に横架された各伸縮杆１１がその変位量に応じて伸縮すると、カバー２３，２３も同様に伸縮して、その相対変位に追従する。また、隣接する建物が前後方向（目地に沿う方向）に相対変位し、各伸縮杆１１の端部が支持杆１０，１０に対して水平方向に回動すると、カバー２３，２３も同様に回動して、その相対変位に追従する。これにより、カバー２３，２３は、目地用遮断柵１の追従機能を損なうことなく、通路５の側部の間隙部９を遮蔽することができる。また、目地用遮断柵１を覆い隠すことができ、その美観を向上させることができる。
【００２８】
尚、前記カバー２３，２３は、第２実施例の目地用遮断柵１にも適用することが可能である。この場合には、両カバー２３，２３の基部側を、各伸縮杆１１の基管１５ａ，１５ａに支持させることにより、各伸縮杆１１の水平回動に両カバー２３，２３を追従させることができる。
【００２９】
また、本発明にかかる目地用遮断柵１は、免震装置によって下部が支持された免震構造の建物以外の一般的な建物にも適用することが可能である。
【００３０】
【発明の効果】
本発明は上述のように、目地ｓを介して一対の支持杆１０，１０を立設し、該両支持杆１０，１０に前記目地ｓを横断する複数の伸縮杆１１を上下方向に所定間隔で横架するとともに、各伸縮杆１１の端部を、前記両支持杆１０，１０に対して連結手段を介して少なくとも水平方向に回動可能に連結し、その連結手段を、外周面に伸縮杆１１の端部が固定され、前記各支持杆１０に外嵌して水平方向に回動可能とした単一もしくは上下方向に分割された複数の回動管１４によって構成したり、あるいは、両支持杆１０，１０の対向する外周面に上下方向に所定間隔で複数対配設された上下で一対の軸受片１９，１９と、伸縮杆１１の端部が固定され、前記各一対の軸受片１９，１９に上下両端が回動可能に枢結された支軸２０とにより構成するようにしたから、隣接する建物が離近方向及び前後方向に相対変位しても、その相対変位に目地用遮断柵１が追従し、支持杆１０，１０間に横架された複数の伸縮杆１１によって、通路５の側部の間隙部９を支障なく遮断することができる。
【００３１】
また、前記連結手段を、両支持杆１０，１０に外嵌して水平方向に回動可能とした単一もしくは上下方向に分割された複数の回動管１４と、該回動管１４の外周面に上下方向に所定間隔で複数対配設された左右で一対の軸受片１９’，１９’と、伸縮杆１１の端部が固定され、前記各一対の軸受片１９’，１９’に左右両端が回動可能に枢結された支軸２０とにより構成して、伸縮杆１１の端部を水平方向及び上下方向に回動可能とすることにより、隣接する建物の離近方向及び前後方向の相対変位に加えて、上下方向の相対変位に対しても目地用遮断柵１を追従させることができる。
【００３２】
さらに、先端側が対向状に延出され、その先端部分を摺動可能に重ね合わせることにより、伸縮可能に設けられた左右のカバー２３，２３を、前記両支持杆１０，１０及び各伸縮杆１１に追従回動可能に被覆するようにしたから、隣接する建物の離近方向及び前後方向の相対変位に対する目地用遮断柵１の追従機能を損なうことなく、通路５の側部の間隙部９を遮蔽することができるとともに、目地用遮断柵１を覆い隠すことができ、美観を向上させ得る等の優れた効果がある。
【図面の簡単な説明】
【図１】本発明に係る目地用遮断柵の第１実施例の施工状態の縦断正面図である。
【図２】同上の施工状態の平面図である。
【図３】第１実施例の一部切欠正面図である。
【図４】同上の支持杆及び連結手段を示す分解斜視図である。
【図５】回動管の他の構成を示す分解斜視図である。
【図６】第２実施例の支持杆及び連結手段を示す斜視図である。
【図７】第３実施例の支持杆及び連結手段を示す斜視図である。
【図８】同上の平面図である。
【図９】第４実施例の施工状態の正面図である。
【図１０】同上の横断平面図である。
【符号の説明】
ｓ  目地
ｘ  建物
１  目地用遮断柵
５  通路
９  間隙部
１０  支持杆
１１  伸縮杆
１４  回動管
１９  軸受片
１９’軸受片
２０  支軸
２３  カバー
【図１】
0003929558.tif 000002
【図２】
0003929558.tif 000003
【図３】
0003929558.tif 000004
【図４】
0003929558.tif 000005
【図５】
0003929558.tif 000006
【図６】
0003929558.tif 000007
【図７】
0003929558.tif 000008
【図８】
0003929558.tif 000009
【図９】
0003929558.tif 000010
【図１０】
0003929558.tif 000011